(57)【要約】【課題】リターゲティング検索サービスを提供する方法およびシステムを提供する。【解決手段】一実施形態に係るリターゲティング検索サービスを提供する方法は、予め設定された期間中にユーザから入力されたクエリ情報に対するログを格納する段階、および前記格納されたログに基づき、情報提供時点に応じてユーザモバイル端末またはユーザコンピュータ端末のうち少なくとも１つの端末にリターゲティング検索語およびリターゲティング検索結果を提供する段階を含む。【選択図】図１
2016126802.tif 000002
【特許請求の範囲】
【請求項１】
リターゲティング検索サービスを提供する方法であって、
予め設定された期間中にユーザから入力されたクエリ情報に対するログを格納する段階、および
前記格納されたログに基づき、情報提供時点に応じてユーザモバイル端末またはユーザコンピュータ端末のうち少なくとも１つの端末にリターゲティング検索語およびリターゲティング検索結果を提供する段階
を含む、リターゲティング検索サービス提供方法。
【請求項２】
前記予め設定された期間中にユーザから入力されたクエリ情報に対するログを格納する段階は、
前記ユーザモバイル端末から入力されたクエリ情報に対する第１ログおよび前記ユーザコンピュータ端末から入力されたクエリ情報に対する第２ログを生成する段階、および
前記ユーザモバイル端末から生成された第１ログを前記ユーザコンピュータ端末に送信し、前記ユーザコンピュータ端末から生成された第２ログを前記ユーザモバイル端末に送信する段階
を含む、請求項１に記載のリターゲティング検索サービス提供方法。
【請求項３】
前記予め設定された期間中にユーザから入力されたクエリ情報に対するログを格納する段階は、
検索サービスを利用するユーザのログイン情報または非識別個人情報に基づいて前記ユーザモバイル端末と前記ユーザコンピュータ端末を連動させる段階
を含む、請求項２に記載のリターゲティング検索サービス提供方法。
【請求項４】
前記リターゲティング検索語およびリターゲティング検索結果を提供する段階は、
前記情報提供時点に応じて、前記リターゲティング検索語およびリターゲティング検索結果を提供する端末を設定する段階
を含む、請求項１に記載のリターゲティング検索サービス提供方法。
【請求項５】
前記リターゲティング検索語およびリターゲティング検索結果を提供する段階は、
平日の予め設定された第１時間中にユーザコンピュータ端末から入力されたクエリに関する情報に基づき、前記平日の予め設定された第１時間後に前記ユーザモバイル端末に前記リターゲティング検索語およびリターゲティング検索結果を提供する段階、または平日の予め設定された第２時間中に前記ユーザモバイル端末から入力されたクエリに関する情報に基づき、前記平日の予め設定された第２時間後に前記ユーザコンピュータ端末に前記リターゲティング検索語およびリターゲティング検索結果を提供する段階
を含む、請求項４に記載のリターゲティング検索サービス提供方法。
【請求項６】
前記リターゲティング検索語およびリターゲティング検索結果を提供する段階は、
前記平日にユーザコンピュータ端末およびユーザモバイル端末から入力されたクエリ情報に基づき、休日に前記ユーザモバイル端末に前記リターゲティング検索語およびリターゲティング検索結果を提供する段階
を含む、請求項５に記載のリターゲティング検索サービス提供方法。
【請求項７】
前記リターゲティング検索語およびリターゲティング検索結果を提供する段階は、
前記ユーザモバイル端末および前記ユーザコンピュータ端末に前記リターゲティング検索語およびリターゲティング検索結果を出力するユーザインタフェース（Ｕｓｅｒ  Ｉｎｔｅｒｆａｃｅ）が異なるように提供する段階
を含む、請求項１に記載のリターゲティング検索サービス提供方法。
【請求項８】
前記リターゲティング検索語およびリターゲティング検索結果を提供する段階は、
前記ユーザモバイル端末を使用するユーザから入力されたクエリに対する検索結果および前記リターゲティング検索語を含む検索結果ページを出力し、前記検索結果ページに前記リターゲティング検索語がアップデートされることを表示する段階
を含む、請求項７に記載のリターゲティング検索サービス提供方法。
【請求項９】
前記リターゲティング検索語およびリターゲティング検索結果を提供する段階は、
前記ユーザから前記リターゲティング検索語が選択されることにより、リターゲティング検索結果を含む情報提供ページを前記検索結果ページ上にレイヤ（Ｌａｙｅｒ）形態で出力する段階
を含む、請求項８に記載のリターゲティング検索サービス提供方法。
【請求項１０】
前記リターゲティング検索語およびリターゲティング検索結果を提供する段階は、
前記ユーザコンピュータ端末を使用するユーザから入力されたクエリに対する検索結果を出力する第１フレームおよび前記リターゲティング検索語およびリターゲティング検索結果を出力する第２フレームを含み、前記第１フレームに出力される結果および前記第２フレームに出力される結果を同時に出力する段階
を含む、請求項７に記載のリターゲティング検索サービス提供方法。
【請求項１１】
前記リターゲティング検索語およびリターゲティング検索結果を提供する段階は、
前記ユーザから検索ウィンドウが開かれることによって前記ユーザから検索された少なくとも１つの検索語を出力し、前記出力された少なくとも１つの検索語に関する情報がアップデートされた場合、前記アップデートされた検索語を識別可能に表示する段階
を含む、請求項１に記載のリターゲティング検索サービス提供方法。
【請求項１２】
コンピュータシステムに、リターゲティングされた検索語およびリターゲティングされた検索結果を提供する処理を実行させるプログラムであって、
前記プログラムは、
予め設定された期間中にユーザから入力されたクエリ情報に対するログを格納する段階、および
前記格納されたログに基づき、情報提供時点に応じてユーザモバイル端末またはユーザコンピュータ端末のうち少なくとも１つの端末にリターゲティング検索語およびリターゲティング検索結果を提供する段階
を含むリターゲティング検索サービス提供方法を前記コンピュータに実行させる、プログラム。
【請求項１３】
リターゲティング検索サービスを提供するシステムであって、
予め設定された期間中にユーザから入力されたクエリ情報に対するログを格納する格納部、および
前記格納されたログに基づき、情報提供時点に応じてユーザモバイル端末またはユーザコンピュータ端末のうち少なくとも１つの端末にリターゲティング検索語およびリターゲティング検索結果を提供する提供部
を備える、リターゲティング検索サービス提供システム。
【請求項１４】
前記格納部は、
前記ユーザモバイル端末から入力されたクエリ情報に対する第１ログおよび前記ユーザコンピュータ端末から入力されたクエリ情報に対する第２ログを格納し、
前記提供部は、前記ユーザモバイル端末から生成された第１ログを前記ユーザコンピュータ端末に送信し、前記ユーザコンピュータ端末から生成された第２ログを前記ユーザモバイル端末に送信する、
請求項１３に記載のリターゲティング検索サービス提供システム。
【請求項１５】
前記提供部は、
検索サービスを利用するユーザのログイン情報または非識別個人情報に基づいて前記ユーザモバイル端末と前記ユーザコンピュータ端末を連動させる
請求項１４に記載のリターゲティング検索サービス提供システム。
【請求項１６】
前記提供部は、
前記情報提供時点に応じて、前記リターゲティング検索語およびリターゲティング検索結果を提供する端末を設定する
請求項１３に記載のリターゲティング検索サービス提供システム。
【請求項１７】
前記提供部は、
平日の予め設定された第１時間中にユーザコンピュータ端末から入力されたクエリに関する情報に基づき、前記平日の予め設定された第１時間後に前記ユーザモバイル端末に前記リターゲティング検索語およびリターゲティング検索結果を提供する機能、または平日の予め設定された第２時間中に前記ユーザモバイル端末から入力されたクエリに関する情報に基づき、前記平日の予め設定された第２時間後に前記ユーザコンピュータ端末に前記リターゲティング検索語およびリターゲティング検索結果を提供する機能
を含む、請求項１６に記載のリターゲティング検索サービス提供システム。
【請求項１８】
前記提供部は、
前記平日にユーザコンピュータ端末およびユーザモバイル端末から入力されたクエリ情報に基づき、休日に前記ユーザモバイル端末に前記リターゲティング検索語およびリターゲティング検索結果を提供する
請求項１７に記載のリターゲティング検索サービス提供システム。
【請求項１９】
前記提供部は、
前記ユーザモバイル端末および前記ユーザコンピュータ端末に前記リターゲティング検索語およびリターゲティング検索結果を出力するユーザインタフェース（Ｕｓｅｒ  Ｉｎｔｅｒｆａｃｅ）が異なるように提供する
請求項１３に記載のリターゲティング検索サービス提供システム。
【請求項２０】
前記提供部は、
前記ユーザモバイル端末を使用するユーザから入力されたクエリに対する検索結果および前記リターゲティング検索語を含む検索結果ページを出力し、前記検索結果ページに前記リターゲティング検索語がアップデートされることを表示する
請求項１９に記載のリターゲティング検索サービス提供システム。
【請求項２１】
前記提供部は、
前記ユーザから前記リターゲティング検索語が選択されることにより、リターゲティング検索結果を含む情報提供ページを前記検索結果ページ上にレイヤ（Ｌａｙｅｒ）形態で出力する
請求項２０に記載のリターゲティング検索サービス提供システム。
【請求項２２】
前記提供部は、
前記ユーザコンピュータ端末を使用するユーザから入力されたクエリに対する検索結果を出力する第１フレームおよび前記リターゲティング検索語およびリターゲティング検索結果を出力する第２フレームを含み、前記第１フレームに出力される結果および前記第２フレームに出力される結果を同時に出力する
請求項１９に記載のリターゲティング検索サービス提供システム。
【請求項２３】
前記提供部は、
前記ユーザから検索ウィンドウが開かれることによって前記ユーザから検索された少なくとも１つの検索語を出力し、前記出力された少なくとも１つの検索語に関する情報がアップデートされた場合、前記アップデートされた検索語を識別可能に表示する
請求項１３に記載のリターゲティング検索サービス提供システム。
【請求項２４】
請求項１２に記載されたプログラムを格納した、コンピュータで読み取り可能な格納媒体。
【発明の詳細な説明】
【技術分野】
【０００１】
本発明は検索サービス技術に関し、より詳細には、リターゲティング検索サービスを提供する方法に関する。
【背景技術】
【０００２】
ユーザが知りたいことを検索するための方法として、検索サービスを利用してクエリ検索をすることによって検索結果を得たり、ブラウジング探索によって供給者から提供される情報から結果を得たりするのが一般的である。しかし、検索サービスを利用した質問検索は、それぞれのユーザとの関連性が低いため、ユーザが本当に得たい結果を得るために長い探索時間が必要となる。
【０００３】
また、ＰＣはもちろん、移動通信端末の使用が普遍化するにつれ、ユーザが知りたい事柄を、ＳＮＳを通じて質問しながら他のユーザから質問に対する返答を得ることができるようになった。ＳＮＳを利用した質問検索は、他のユーザが提供した返答にリアルタイムで疎通することができるため、ユーザと高い関連性のある情報を即時に得ることができる。
【０００４】
特許文献１（登録日２００８年７月１０日）には、ポータルサイトと連携するウェブサービスをウェブサイトに提供する技術が開示されている。
【先行技術文献】
【特許文献】
【０００５】
【特許文献１】韓国登録特許第１０−０８４４８５４号公報
【発明の概要】
【発明が解決しようとする課題】
【０００６】
一実施形態に係るリターゲティング検索サービス提供システムは、格納されたログに基づき、情報提供時点に応じてユーザモバイル端末またはユーザコンピュータ端末にリターゲティング検索語を提供する方法を提供することを目的とする。
【０００７】
一実施形態に係るリターゲティング検索サービスシステムは、ユーザモバイル端末とユーザコンピュータ端末から検索されたデータに対するログを連動させる方法を提供することを他の目的とする。
【課題を解決するための手段】
【０００８】
一実施形態に係るリターゲティング検索サービスを提供する方法は、予め設定された期間中にユーザから入力されたクエリ情報に対するログを格納する段階、および前記格納されたログに基づき、情報提供時点に応じてユーザモバイル端末またはユーザコンピュータ端末のうち少なくとも１つの端末にリターゲティング検索語およびリターゲティング検索結果を提供する段階を含んでもよい。
【０００９】
一側面によると、前記予め設定された期間中にユーザから入力されたクエリ情報に対するログを格納する段階は、前記ユーザモバイル端末から入力されたクエリ情報に対する第１ログおよび前記ユーザコンピュータ端末から入力されたクエリ情報に対する第２ログを生成する段階、および前記ユーザモバイル端末から生成された第１ログを前記ユーザコンピュータ端末に送信し、前記ユーザコンピュータ端末から生成された第２ログを前記ユーザモバイル端末に送信する段階を含んでもよい。
【００１０】
さらに他の一側面によると、前記予め設定された期間中にユーザから入力されたクエリ情報に対するログを格納する段階は、検索サービスを利用するユーザのログイン情報または非識別個人情報に基づいて前記ユーザモバイル端末と前記ユーザコンピュータ端末を連動させる段階を含んでもよい。
【００１１】
さらに他の一側面によると、前記リターゲティング検索語およびリターゲティング検索結果を提供する段階は、前記情報提供時点に応じて前記リターゲティング検索語およびリターゲティング検索結果を提供する端末を設定する段階を含んでもよい。
【００１２】
さらに他の一側面によると、前記リターゲティング検索語およびリターゲティング検索結果を提供する段階は、平日の予め設定された第１時間中にユーザコンピュータ端末から入力されたクエリに関する情報に基づき、前記平日の予め設定された第１時間後に前記ユーザモバイル端末に前記リターゲティング検索語およびリターゲティング検索結果を提供する段階、または平日の予め設定された第２時間中に前記ユーザモバイル端末から入力されたクエリに関する情報に基づき、前記平日の予め設定された第２時間後に前記ユーザコンピュータ端末に前記リターゲティング検索語およびリターゲティング検索結果を提供する段階を含んでもよい。
【００１３】
さらに他の一側面によると、前記リターゲティング検索語およびリターゲティング検索結果を提供する段階は、前記平日にユーザコンピュータ端末およびユーザモバイル端末から入力されたクエリ情報に基づき、休日に前記ユーザモバイル端末に前記リターゲティング検索語およびリターゲティング検索結果を提供する段階を含んでもよい。
【００１４】
さらに他の一側面によると、前記リターゲティング検索語およびリターゲティング検索結果を提供する段階は、前記ユーザモバイル端末および前記ユーザコンピュータ端末に前記リターゲティング検索語およびリターゲティング検索結果を出力するユーザインタフェース（Ｕｓｅｒ  Ｉｎｔｅｒｆａｃｅ）が異なるように提供する段階を含んでもよい。
【００１５】
さらに他の一側面によると、前記リターゲティング検索語およびリターゲティング検索結果を提供する段階は、前記ユーザモバイル端末を使用するユーザから入力されたクエリに対する検索結果および前記リターゲティング検索語を含む検索結果ページを出力し、前記検索結果ページに前記リターゲティング検索語がアップデートされることを表示する段階を含んでもよい。
【００１６】
さらに他の一側面によると、前記リターゲティング検索語およびリターゲティング検索結果を提供する段階は、前記ユーザから前記リターゲティング検索語が選択されることにより、リターゲティング検索結果を含む情報提供ページを前記検索結果ページ上にレイヤ（Ｌａｙｅｒ）形態で出力する段階を含んでもよい。
【００１７】
さらに他の一側面によると、前記リターゲティング検索語およびリターゲティング検索結果を提供する段階は、前記ユーザコンピュータ端末を使用するユーザから入力されたクエリに対する検索結果を出力する第１フレームおよび前記リターゲティング検索語およびリターゲティング検索結果を出力する第２フレームを含み、前記第１フレームに出力される結果および前記第２フレームに出力される結果を同時に出力する段階を含んでもよい。
【００１８】
さらに他の一側面によると、前記リターゲティング検索語およびリターゲティング検索結果を提供する段階は、前記ユーザから検索ウィンドウが開かれることによって前記ユーザから検索された少なくとも１つの検索語を出力し、前記出力された少なくとも１つの検索語に関する情報がアップデートされた場合、前記アップデートされた検索語を識別可能に表示する段階を含んでもよい。
【００１９】
一実施形態に係るコンピュータシステムが、リターゲティングされた検索語およびリターゲティングされた検索結果を提供するように制御する命令を含むコンピュータで読み取り可能な媒体であって、前記命令は、予め設定された期間中にユーザから入力されたクエリ情報に対するログを格納する段階、および前記格納されたログに基づき、情報提供時点に応じてユーザモバイル端末またはユーザコンピュータ端末のうち少なくとも１つの端末にリターゲティング検索語およびリターゲティング検索結果を提供する段階を含んでもよい。
【００２０】
一実施形態に係るリターゲティング検索サービスを提供するシステムにおいて、予め設定された期間中にユーザから入力されたクエリ情報に対するログを格納する格納部、および前記格納されたログに基づき、情報提供時点に応じてユーザモバイル端末またはユーザコンピュータ端末のうち少なくとも１つの端末にリターゲティング検索語およびリターゲティング検索結果を提供する提供部を備えてもよい。
【００２１】
一側面によると、前記格納部は、前記ユーザモバイル端末から入力されたクエリ情報に対する第１ログおよび前記ユーザコンピュータ端末から入力されたクエリ情報に対する第２ログを格納し、前記提供部は、前記ユーザモバイル端末から生成された第１ログを前記ユーザコンピュータ端末に送信し、前記ユーザコンピュータ端末から生成された第２ログを前記ユーザモバイル端末に送信してもよい。
【００２２】
さらに他の一側面によると、前記提供部は、検索サービスを利用するユーザのログイン情報または非識別個人情報に基づいて前記ユーザモバイル端末と前記ユーザコンピュータ端末を連動させてもよい。
【００２３】
さらに他の一側面によると、前記提供部は、前記情報提供時点に応じて前記リターゲティング検索語およびリターゲティング検索結果を提供する端末を設定してもよい。
【００２４】
さらに他の一側面によると、前記提供部は、平日の予め設定された第１時間中にユーザコンピュータ端末から入力されたクエリに関する情報に基づき、前記平日の予め設定された第１時間後に前記ユーザモバイル端末に前記リターゲティング検索語およびリターゲティング検索結果を提供する機能、または平日の予め設定された第２時間中に前記ユーザモバイル端末から入力されたクエリに関する情報に基づき、前記平日の予め設定された第２時間後に前記ユーザコンピュータ端末に前記リターゲティング検索語およびリターゲティング検索結果を提供する機能を含んでもよい。
【００２５】
さらに他の一側面によると、前記提供部は、前記平日にユーザコンピュータ端末およびユーザモバイル端末から入力されたクエリ情報に基づき、休日に前記ユーザモバイル端末に前記リターゲティング検索語およびリターゲティング検索結果を提供してもよい。
【００２６】
さらに他の一側面によると、前記提供部は、前記ユーザモバイル端末および前記ユーザコンピュータ端末に前記リターゲティング検索語およびリターゲティング検索結果を出力するユーザインタフェース（Ｕｓｅｒ  Ｉｎｔｅｒｆａｃｅ）が異なるように提供してもよい。
【００２７】
さらに他の一側面によると、前記提供部は、前記ユーザモバイル端末を使用するユーザから入力されたクエリに対する検索結果および前記リターゲティング検索語を含む検索結果ページを出力し、前記検索結果ページに前記リターゲティング検索語がアップデートされることを表示してもよい。
【００２８】
さらに他の一側面によると、前記提供部は、前記ユーザから前記リターゲティング検索語が選択されることにより、リターゲティング検索結果を含む情報提供ページを前記検索結果ページ上にレイヤ（Ｌａｙｅｒ）形態で出力してもよい。
【００２９】
さらに他の一側面によると、前記提供部は、前記ユーザコンピュータ端末を使用するユーザから入力されたクエリに対する検索結果を出力する第１フレームおよび前記リターゲティング検索語およびリターゲティング検索結果を出力する第２フレームを含み、前記第１フレームに出力される結果および前記第２フレームに出力される結果を同時に出力してもよい。
【００３０】
さらに他の一側面によると、前記提供部は、前記ユーザから検索ウィンドウが開かれることによって前記ユーザから検索された少なくとも１つの検索語を出力し、前記出力された少なくとも１つの検索語に関する情報がアップデートされた場合、前記アップデートされた検索語を識別可能に表示してもよい。
【発明の効果】
【００３１】
一実施形態に係るリターゲティング検索サービス提供システムは、ユーザモバイル端末およびユーザコンピュータ端末の使用時間を分析することにより、格納されたログに基づき、予め設定された時間にしたがってユーザモバイル端末またはユーザコンピュータ端末にリターゲティング検索語を提供することができる。
【００３２】
一実施形態に係るリターゲティング検索サービス提供システムは、ログイン情報と非識別個人情報を利用してユーザモバイル端末とユーザコンピュータ端末間で検索されたデータを連動させることができる。
【図面の簡単な説明】
【００３３】
【図１】一実施形態に係るリターゲティング検索サービス提供システムとユーザ端末間の概括的な動作を説明するための図である。
【図２】一実施形態に係るリターゲティング検索サービス提供システムの構成を示したブロック図である。
【図３】一実施形態に係るリターゲティング検索サービス提供システムでユーザモバイル端末とユーザコンピュータ端末のログ情報を交換する動作を説明するための図である。
【図４】一実施形態に係るリターゲティング検索サービス提供システムでユーザモバイル端末にリターゲティング検索サービスを提供する動作を示した図である。
【図５】一実施形態に係るリターゲティング検索サービス提供システムでユーザコンピュータ端末にリターゲティング検索サービスを提供する動作を示した図である。
【図６Ａ】一実施形態に係るリターゲティング検索サービス提供システムで検索ウィンドウを開いた場合にアップデートされた検索語を表示する動作を示した図である。
【図６Ｂ】一実施形態に係るリターゲティング検索サービス提供システムで検索ウィンドウを開いた場合にアップデートされた検索語を表示する動作を示した図である。
【図７】一実施形態に係るリターゲティング検索サービス提供システムでリターゲティング検索サービス提供方法を説明するためのフローチャートである。
【発明を実施するための形態】
【００３４】
以下、実施形態について、添付の図面を参照しながら詳しく説明する。
【００３５】
図１は、一実施形態に係るリターゲティング検索サービス提供システムとユーザ端末間の概括的な動作を説明するための図である。
【００３６】
図１は、ユーザ端末１１０とリターゲティング検索サービス提供システム１００を示している。図１に示された矢印は、リターゲティング検索サービス提供システム１００とユーザ端末１１０間で有線／無線ネットワークを介してデータが送受信されることを意味してもよい。
【００３７】
ユーザ端末１１０は、ユーザモバイル端末およびユーザコンピュータ端末を含んでもよい。ユーザモバイル端末は、例えば、携帯電話やスマートフォンなどのように携帯することのできる機器を含んでもよく、ユーザコンピュータ端末は、ノートパンコンやデスクトップなどのように小型コンピュータを含んでもよい。ここで、ユーザ端末１１０は、リターゲティング検索サービス提供システム１００と関連するウェブ／モバイルサイトへの接続、またはサービス専用アプリケーションのインストールおよび実行が可能なすべての端末を意味してもよい。このとき、ユーザ端末１１０は、ウェブ／モバイルサイトまたは専用アプリケーションの制御下に、サービス画面の構成、データ入力、データ送受信、データ格納などのようなサービス全般の動作を実行してもよい。
【００３８】
リターゲティング検索サービス提供システム１００は、検索サービスを提供するプラットフォーム上で実現されてもよく、ユーザ端末１１０を対象にして検索サービス上でリターゲティング検索語およびリターゲティング検索結果を提供してもよい。ここで、検索サービスは、例えば、ネイバー、ダウム、グーグルのようなインターネットポータルサイトを意味してもよい。
【００３９】
リターゲティング検索サービス提供システム１００は、検索サービスを提供するプラットフォームに含まれる形態で実現されてもよいが、これに限定されることはなく、検索サービスとは別途のシステムで構築され、検索サービスサーバとの連動によってリターゲティング検索語およびリターゲティング検索結果を管理する形態で実現されることも可能である。
【００４０】
一実施形態に係るリターゲティング検索サービス提供システムは、ユーザが過去に検索した検索語を基盤とする新たなコンテンツを提供することができ、過去に検索した検索語とユーザから確認した結果に基づいて次に検索する検索語とコンテンツを提供することができる。
【００４１】
図２は、一実施形態に係るリターゲティング検索サービス提供システムの構成を示したブロック図である。
【００４２】
リターゲティング検索サービス提供システム２００は、プロセッサ２１０、バス２２０、ネットワークインタフェース２３０、メモリ２４０、およびデータベース２５０を備えてよい。メモリ２４０は、オペレーティングシステム２４１およびサービス提供ルーチン２４２を含んでよい。プロセッサ２１０は、提供部２１１を含んでよい。他の実施形態において、リターゲティング検索サービス提供システム２００は、図２の構成要素よりもさらに多くの構成要素を備えてもよい。しかし、大部分の従来技術的な構成要素を明確に図に示す必要はない。例えば、リターゲティング検索サービス提供システム２００は、ディスプレイやトランシーバ（ｔｒａｎｓｃｅｉｖｅｒ）のような他の構成要素を備えてもよい。
【００４３】
メモリ２４０は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永久大容量記録装置（ｐｅｒｍａｎｅｎｔ  ｍａｓｓ  ｓｔｏｒａｇｅ  ｄｅｖｉｃｅ）を含んでよい。また、メモリ２４０には、オペレーティングシステム２４１およびサービス提供ルーチン２４２のためのプログラムコードが格納されてよい。このようなソフトウェア構成要素は、ドライブメカニズム（ｄｒｉｖｅ  ｍｅｃｈａｎｉｓｍ）（図示せず）を利用してメモリ２４０とは別のコンピュータで読み取り可能な記録媒体からロードされてもよい。このような別のコンピュータで読み取り可能な記録媒体は、フロッピー（登録商標）ドライブ、ディスク、テープ、ＤＶＤ／ＣＤ−ＲＯＭドライブ、メモリカードなどのコンピュータで読み取り可能な記録媒体（図示せず）を含んでよい。他の実施形態において、ソフトウェア構成要素は、コンピュータで読み取り可能な記録媒体ではないネットワークインタフェース２３０を利用してメモリ２４０にロードされてもよい。
【００４４】
バス２２０は、リターゲティング検索サービス提供システム２００の構成要素間の通信およびデータ送信を可能にする。バス２２０は、高速シリアルバス、パラレルバス、ＳＡＮ（Ｓｔｏｒａｇｅ  Ａｒｅａ  Ｎｅｔｗｏｒｋ）、および／または他の適切な通信技術を利用して構成されてもよい。
【００４５】
ネットワークインタフェース２３０は、リターゲティング検索サービス提供システム２００をコンピュータネットワークに接続するためのコンピュータハードウェア構成要素であってよい。ネットワークインタフェース２３０は、リターゲティング検索サービス提供システム２００を無線または有線接続を介してコンピュータネットワークに接続させてもよい。
【００４６】
データベース２５０は、ユーザから入力されたクエリ情報に対するログを格納する役割を行ってもよい。データベース２５０は、ユーザモバイル端末から入力されたクエリ情報に対するログを格納し、ユーザコンピュータ端末から入力されたクエリ情報に対するログを格納してもよい。図２では、リターゲティング検索サービス提供システム２００の内部にデータベース２５０が構築されたものを示しているが、これに限定されることはなく、システムの実現方式や環境などに応じて省略されてもよいし、全体または一部のデータベースが別途の他のシステム上に構築された外部データベースとして存在することも可能である。
【００４７】
プロセッサ２１０は、基本的な算術、ロジック、およびリターゲティング検索サービス提供システム２００の入出力演算を実行することにより、コンピュータプログラムの命令を処理するように構成されてよい。命令は、メモリ２４０またはネットワークインタフェース２３０によって、バス２２０を介してプロセッサ２１０に提供されてよい。プロセッサ２１０は、提供部２１１のためのプログラムコードを実行するように構成されてよい。このようなプログラムコードは、メモリ２４０のような記録装置に格納されてもよい。
【００４８】
提供部２１１は、格納されたログに基づき、情報提供時点に応じてユーザモバイル端末またはユーザコンピュータ端末のうち少なくとも１つの端末にリターゲティング検索語およびリターゲティング検索結果を提供してもよい。
【００４９】
提供部２１１は、情報提供時点に応じてリターゲティング検索語およびリターゲティング検索結果を提供する端末を設定してもよい。例えば、提供部２２０は、平日の予め設定された第１時間中にユーザコンピュータ端末から入力されたクエリに関する情報に基づき、平日の予め設定された第１時間後にユーザモバイル端末にリターゲティング検索語およびリターゲティング検索結果を提供してもよく、平日の予め設定された第２時間中にユーザモバイル端末から入力されたクエリに関する情報に基づき、平日の予め設定された第２時間後にユーザコンピュータ端末にリターゲティング検索語およびリターゲティング検索結果を提供してもよい。また、提供部２１１は、平日にユーザコンピュータ端末およびユーザモバイル端末から入力されたクエリ情報に基づき、休日にユーザモバイル端末にリターゲティング検索語およびリターゲティング検索結果を提供してもよい。
【００５０】
提供部２１１は、ユーザモバイル端末およびユーザコンピュータ端末にリターゲティング検索語およびリターゲティング検索結果を出力するユーザインタフェース（Ｕｓｅｒ  Ｉｎｔｅｒｆａｃｅ）を異なるように提供してもよい。
【００５１】
提供部２１１は、ユーザモバイル端末を使用するユーザから入力されたクエリに対する検索結果およびリターゲティング検索語を含む検索結果ページを出力し、検索結果ページにリターゲティング検索語がアップデートされることを表示してもよい。このとき、提供部２１１は、ユーザからリターゲティング検索語が選択されることにより、リターゲティング検索結果を含む情報提供ページを検索結果ページの上にレイヤ（Ｌａｙｅｒ）形態で出力してもよい。
【００５２】
提供部２１１は、ユーザコンピュータ端末を使用するユーザから入力されたクエリに対する検索結果を出力する第１フレームおよびリターゲティング検索語およびリターゲティング検索結果を出力する第２フレームを含んでもよく、第１フレームに出力される結果および第２フレームに出力される結果を同時に出力してもよい。
【００５３】
提供部２１１は、ユーザから検索ウィンドウが開かれることによってユーザから検索された少なくとも１つの検索語を出力し、出力された少なくとも１つの検索語に関する情報がアップデートされた場合、アップデートされた検索語を表示してもよい。
【００５４】
図３は、一実施形態に係るリターゲティング検索サービス提供システムでユーザモバイル端末とユーザコンピュータ端末のログ情報を交換する動作を説明するための図である。
【００５５】
リターゲティング検索サービス提供システムは、ユーザモバイル端末３３０とユーザコンピュータ端末３２０から入力されたクエリ情報に対するログを格納してもよい。例えば、リターゲティング検索サービス提供システムは、ユーザから入力された検索語、ユーザが確認した情報、ユーザが検索した情報などをログで格納してもよい。
【００５６】
リターゲティング検索サービス提供システムは、ログデータベース３１０にユーザモバイル端末３３０とユーザコンピュータ端末３２０のログを格納してもよく、ユーザモバイル端末３３０とユーザコンピュータ端末３２０間のデータが連動されるようにしてもよい。このとき、リターゲティング検索サービス提供システムは、検索サービスを利用するユーザのログイン情報または非識別個人情報（識別することができない個人情報として、個人の趣味や興味などを把握できる情報）に基づいてユーザモバイル端末とユーザコンピュータ端末の情報を連動させてもよい。
【００５７】
ログデータベース３１０は、予め設定された期間中にユーザから入力されたクエリ情報に対するログを格納してもよい。例えば、１週間内にユーザから入力されたクエリ情報に対するログを格納してもよい。このとき、ログデータベース３１０は、ユーザモバイル端末３３０から入力されたクエリ情報に対する第１ログおよびユーザコンピュータ端末３２０から入力されたクエリ情報に対する第２ログを格納してもよい。
【００５８】
リターゲティング検索サービス提供システムは、ユーザモバイル端末３３０から生成された第１ログをユーザコンピュータ端末３２０に送信してもよく、ユーザコンピュータ端末３２０から生成された第２ログをユーザモバイル端末３３０に送信してもよい。
【００５９】
リターゲティング検索サービス提供システムは、ログデータベース３１０に格納されたログを分析してもよい。例えば、ログデータベース３１０は、ここ６ヶ月間内にユーザ端末から検索されたデータに関する情報を格納してもよく、リターゲティング検索サービス提供システムは、格納された情報に基づき、昼間はユーザモバイル端末よりもユーザコンピュータ端末での検索時間がより多いことを判断したり、夕方から夜中まではユーザモバイル端末での検索時間がより多いことを判断したり、週末の全時間帯はユーザモバイル端末での検索時間がより多いことを判断したり、夜明けの時間帯はユーザモバイル端末またはユーザコンピュータ端末から検索サービスを利用する時間が他の時間帯に比べて少ないことを判断したり、昼休みの時間はユーザモバイル端末とユーザコンピュータ端末の検索時間が同じくらいであるということを判断したりすることができる。
【００６０】
図４は、一実施形態に係るリターゲティング検索サービス提供システムでユーザモバイル端末にリターゲティング検索サービスを提供する動作を示した図である。
【００６１】
リターゲティング検索サービス提供システムは、ユーザモバイル端末とユーザコンピュータ端末にリターゲティング検索語およびリターゲティング検索結果を出力するユーザインタフェースを異なるように提供してもよい。図４では、ユーザモバイル端末でリターゲティング検索語およびリターゲティング検索結果を提供する方法について説明する。
【００６２】
リターゲティング検索サービス提供システムは、検索サービスでリターゲティング検索語およびリターゲティング検索結果を出力してもよい。検索サービスは、例えば、ネイバー（Ｎａｖｅｒ）やダウム（Ｄａｕｍ）などのようなインターネットポータル検索サイトであってもよい。このとき、ユーザモバイル端末の検索サービスアプリケーションをインストールすることによって検索サービスを利用してもよいし、モバイル端末のエクスプローラのようなウェブブラウザを利用して前記検索サービスに接続してもよい。
【００６３】
リターゲティング検索サービス提供システムは、ユーザモバイル端末を使用するユーザから入力されたクエリ４１０に対する検索結果およびリターゲティング検索語を含む検索結果ページ４１１を出力してもよく、検索結果ページ４１１にリターゲティング検索語４２１がアップデートされることを表示してもよい。
【００６４】
例えば、ユーザモバイル端末を使用するユーザが、検索サービスの検索ウィンドウにクエリ４１０として「パク・シンヘ」と入力したとする。リターゲティング検索サービス提供システムは「パク・シンヘ」に対する検索結果を検索結果ページ４１１に出力してもよい。このとき、例えば、リターゲティング検索サービス提供システムは「パク・シンヘ」に関する人物情報を検索結果ページ４１１に出力してもよい。
【００６５】
リターゲティング検索サービス提供システムは、検索結果ページ４１１にリターゲティング検索語４２１を出力してもよい。このとき、リターゲティング検索サービス提供システムは、検索結果ページ４１１にリターゲティング検索語がアップデートされることを表示してもよい。例えば、「花より青春をもっと見る」のようにアップデートされることが表示されてもよい。
【００６６】
リターゲティング検索サービス提供システムは、検索結果ページ４１１にユーザから入力されたクエリに対する検索結果を出力すると同時に、リターゲティング検索語４２１も出力してもよい。例えば、リターゲティング検索サービス提供システムは、「パク・シンヘ」に対する検索結果が出力された上段にリターゲティング検索語を出力してもよい。また、リターゲティング検索サービス提供システムは、ユーザが以前に検索した検索語のうち少なくとも１つの検索語を代表リターゲティング検索語として出力してもよい。
【００６７】
ユーザは、検索サービスの検索結果ページ４１１に出力されたリターゲティング検索語を選択してもよい（４２０）。例えば、出力されたリターゲティング検索語が「花より青春」である場合、ユーザは「花より青春」を選択してもよい。これにより、リターゲティング検索サービス提供システムは、リターゲティング検索結果である「花より青春」に対する結果を情報提供ページ４１１に出力してもよい。このとき、リターゲティング検索サービス提供システムは、「パク・シンヘ」という検索結果が出力された検索結果ページ４１１上に、ユーザから選択された「花より青春」に対する情報提供ページ４３０をレイヤ形態で出力してもよい。
【００６８】
ユーザが情報提供ページ４３０に出力された「花より青春」に対する検索結果のうち少なくとも１つの検索結果を選択すると、選択された検索結果に対する詳細な内容が出力されてもよいし、選択された検索結果に対するページに移動してもよい。
【００６９】
図５は、一実施形態に係るリターゲティング検索サービス提供システムでユーザコンピュータ端末にリターゲティング検索サービスを提供する動作を示した図である。
【００７０】
リターゲティング検索サービス提供装置は、ユーザモバイル端末とユーザコンピュータ端末にリターゲティング検索語およびリターゲティング検索結果を出力するユーザインタフェースを異なるように提供してもよい。図５では、ユーザコンピュータ端末でリターゲティング検索語およびリターゲティング検索結果を提供する方法について説明する。
【００７１】
リターゲティング検索サービス提供システムは、検索サービスでリターゲティング検索語およびリターゲティング検索結果を出力してもよい。ここで、検索サービスは、例えば、ネイバー（Ｎａｖｅｒ）やダウム（Ｄａｕｍ）などのようなインターネットポータル検索サイトであってもよい。ユーザコンピュータ端末を使用するユーザは、エクスプローラのようなウェブブラウザを通じて検索サービスに接続してもよい。
【００７２】
リターゲティング検索サービス提供システムは、ユーザコンピュータ端末を使用するユーザから入力されたクエリ５５０に対する検索結果を出力する第１フレーム５１０およびリターゲティング検索語およびリターゲティング検索結果を出力する第２フレーム５２０を含んでもよく、第１フレーム５１０に出力される結果および第２フレーム５２０に出力される結果を同時に出力してもよい。
【００７３】
例えば、ユーザコンピュータ端末を使用するユーザが、検索サービスの検索ウィンドウにクエリ５５０として「パク・シンヘ」と入力したとする。リターゲティング検索サービス提供システムは、検索サービスとして「パク・シンヘ」に対する検索結果を第１フレーム５１０に出力してもよい。このとき、第１フレーム５１０には、例えば、「パク・シンヘ」に関する人物情報が出力されてもよい。
【００７４】
また、ユーザは、リターゲティング検索語を選択することにより、第２フレーム５２０にリターゲティング検索結果を出力してもよい。例えば、リターゲティング検索語が「花より青春」であれば、ユーザは「花より青春」を選択してもよい。これにより、第２フレーム５２０には、「花より青春」に対する結果が出力されてもよい。このとき、リターゲティング検索結果は、コンテンツ型５４０または／および検索型５３０で出力されてもよい。
【００７５】
例えば、コンテンツ型５４０は、イメージファイルと共にリターゲティング検索結果に関する内容が簡単に出力されてもよく、検索型５３０は、リターゲティング検索結果に関する内容がリスト形態で出力されてもよい。ユーザがコンテンツ型５４０で出力された内容または／および検索型５３０で出力された内容のうち少なくとも１つの内容を選択すると、選択された内容についてさらに詳細に出力されてもよいし、選択された検索結果に対するページに移動してもよい。
【００７６】
図６Ａ及び図６Ｂは、一実施形態に係るリターゲティング検索サービス提供システムで検索ウィンドウが開かれた場合にアップデートされた検索語を表示する動作を示した図である。
【００７７】
図６Ａは、ユーザモバイル端末で接続した検索サービスの検索ウィンドウで最近の検索語が出力された例を示したものであり、図６Ｂは、ユーザコンピュータ端末で接続した検索サービスの検索ウィンドウで最近の検索語が出力された例を示したものである。このとき、リターゲティング検索サービス提供システムは、ユーザから検索ウィンドウが開かれた場合、最近検索された検索語リストにアップデートされた検索語を表示してもよく、ユーザモバイル端末およびユーザコンピュータ端末に共通して適用されてもよい。
【００７８】
図６Ａを参照すると、ユーザモバイル端末を使用するユーザが検索サービスでｅｙｅｅｍ．ｃｏｍ、ｓｐｒｅａｋｅｒ．ｃｏｍ、ｍａｇｉｓｔｏなどのように少なくとも１つを検索したと仮定する。ユーザによって検索ウィンドウが開かれることにより、ユーザが過去に検索した検索語が出力されてもよい。ここで、過去に検索された検索語は、リスト形態で出力されてもよく、検索した検索語のうちアップデートされた検索語が表示されてもよい。例えば、リターゲティング検索サービス提供システムは、ｅｙｅｅｍ．ｃｏｍ、ｍａｇｉｓｔｏに対して情報がアップデートされたことを示す指標を前記検索語に表示することによってユーザに知らせてもよい。
【００７９】
同じように、図６Ｂを参照すると、ユーザコンピュータ端末を使用するユーザが検索サービスでイ・ジョンボムギア監督、ＬＧネックセン、イ・ジョンボムなどのように少なくとも１つを検索したと仮定する。ユーザは検索ウィンドウを開いてもよく、リターゲティング検索サービス提供システムは、開かれた検索ウィンドウにユーザが過去に検索した検索語を出力してもよい。このとき、過去に検索された検索語は、リスト形態で出力されてもよく、検索された検索語のうちアップデートされた検索語が出力されてもよい。例えば、イ・ジョンボムギア監督、ＬＧネックセンに関する情報がアップデートされたということを示す指標を前記検索語に表示することによってユーザに知らせてもよい。
【００８０】
図７は、一実施形態に係るリターゲティング検索サービス提供システムでリターゲティング検索サービス提供方法を説明するためのフローチャートである。
【００８１】
リターゲティング検索サービス提供方法は、リターゲティング検索サービス提供システムによって実行されてもよいが、リターゲティング検索サービス提供システムについての説明は上述したとおりであるため、図１〜図６Ｂを参照することにする。
【００８２】
段階７１０で、リターゲティング検索サービス提供システムは、予め設定された期間中にユーザから入力されたクエリ情報に対するログを格納してもよい。リターゲティング検索サービス提供システムは、ユーザモバイル端末から入力されたクエリ情報に対する第１ログおよびユーザコンピュータ端末から入力されたクエリ情報に対する第２ログを生成してもよい。リターゲティング検索サービス提供システムは、ユーザモバイル端末から生成された第１ログをユーザコンピュータ端末に送信し、ユーザコンピュータ端末から生成された第２ログをユーザモバイル端末に送信してもよい。このとき、リターゲティング検索サービス提供システムは、検索サービスを利用するユーザのログイン情報または非識別個人情報に基づいてユーザモバイル端末とユーザコンピュータ端末を連動させてもよい。
【００８３】
段階７２０で、リターゲティング検索サービス提供システムは、格納されたログに基づき、情報提供時点に応じてユーザモバイル端末またはユーザコンピュータ端末のうち少なくとも１つの端末にリターゲティング検索語およびリターゲティング検索結果を提供してもよい。リターゲティング検索サービス提供システムは、情報提供時点に応じて、リターゲティング検索語およびリターゲティング検索結果を提供する端末を設定してもよい。例えば、午前／午後の時間帯にユーザコンピュータ端末で検索されたデータを利用して夕方にユーザモバイル端末にリターゲティング検索語を提供したり、夕方／夜／朝の時間帯にユーザモバイル端末で検索されたデータを利用して午前／午後にユーザコンピュータ端末にリターゲティング検索語を提供したりしてもよい。また、平日にユーザモバイル端末およびユーザコンピュータ端末で検索されたデータを利用して休日にユーザモバイル端末にリターゲティング検索語を提供してもよい。さらに、ユーザモバイル端末およびユーザコンピュータ端末から１日のうちに検索されたデータを利用して夜中の時間帯にユーザモバイル端末またはユーザコンピュータ端末にリターゲティング検索語を提供してもよい。
【００８４】
リターゲティング検索サービス提供システムは、ユーザモバイル端末およびユーザコンピュータ端末にリターゲティング検索語およびリターゲティング検索結果を出力するユーザインタフェースを異なるように提供してもよい。例えば、リターゲティング検索サービス提供システムは、ユーザモバイル端末を使用するユーザから入力されたクエリに対する検索結果およびリターゲティング検索語を含む検索結果ページを出力し、検索結果ページにリターゲティング検索語がアップデートされることを表示してもよい。このとき、リターゲティング検索サービス提供システムは、ユーザからリターゲティング検索語が選択されることにより、リターゲティング検索結果を含む情報提供ページを検索結果ページ上にレイヤ形態で出力してもよい。さらに、リターゲティング検索サービス提供システムは、ユーザコンピュータ端末を使用するユーザから入力されたクエリに対する検索結果を出力する第１フレームおよびリターゲティング検索語およびリターゲティング検索結果を出力する第２フレームを出力し、第１フレームに出力される結果および第２フレームに出力される結果を同時に出力してもよい。
【００８５】
リターゲティング検索サービス提供システムは、ユーザから検索ウィンドウが開かれることによってユーザから検索された少なくとも１つの検索語を出力し、出力された少なくとも１つの検索語に関する情報がアップデートされた場合、アップデートされた検索語を識別可能に表示してもよい。
【００８６】
上述した装置は、ハードウェア構成要素、ソフトウェア構成要素、および／またはハードウェア構成要素とソフトウェア構成要素との組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてもよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを格納、操作、処理、および生成してもよい。理解の便宜のために、１つの処理装置が使用されるとして説明される場合もあるが、当業者は、処理装置が複数の処理要素（ｐｒｏｃｅｓｓｉｎｇ  ｅｌｅｍｅｎｔ）および／または複数種類の処理要素を含んでもよいことが理解できるであろう。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００８７】
ソフトウェアは、コンピュータプログラム、コード、命令、またはこれらのうちの１つ以上の組み合わせを含んでもよく、所望するとおりに動作するように処理装置を構成したり、独立的または集合的に（ｃｏｌｌｅｃｔｉｖｅｌｙ）処理装置に命令したりしてよい。ソフトウェアおよび／またはデータは、処理装置に基づいて解釈されたり、処理装置に命令またはデータを提供したりするために、ある種類の機械、コンポーネント、物理装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的または一時的に具現化（ｅｍｂｏｄｙ）されてもよい。ソフトウェアは、ネットワークによって接続されたコンピュータシステム上に分散され、分散された態様で格納されても実行されてもよい。ソフトウェアおよびデータは、１つ以上のコンピュータで読み取り可能な記録媒体に格納されてもよい。
【００８８】
実施形態に係る方法は、多様なコンピュータ手段によって実行可能なプログラム命令の形態で実現されてもよいし、そのようなプログラム命令はコンピュータで読み取り可能な媒体に記録されてもよい。前記コンピュータで読み取り可能な媒体は、プログラム命令、データファイル、データ構造などを単独でまたは組み合わせて含んでもよい。前記媒体に記録されるプログラム命令は、実施形態のために特別に設計されて構成されたものであってもよいし、コンピュータソフトウェア当業者に公知な使用可能なものであってもよい。コンピュータで読み取り可能な記録媒体の例としては、ハードディスク、フロッピー（登録商標）ディスク、磁気テープのような磁気媒体、ＣＤ−ＲＯＭ、ＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【００８９】
以上のように、実施形態を、限定された実施形態と図面に基づいて説明したが、当業者であれば、上述した記載から多様な修正および変形が可能である。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００９０】
したがって、異なる実施形態であっても、特許請求の範囲と均等なものであれば、添付される特許請求の範囲に属する。
【符号の説明】
【００９１】
１００：リターゲティング検索サービス提供システム
１１０：ユーザ端末
【図１】
2016126802.tif 000003
【図２】
2016126802.tif 000004
【図３】
2016126802.tif 000005
【図４】
2016126802.tif 000006
【図５】
2016126802.tif 000007
【図６Ａ】
2016126802.tif 000008
【図６Ｂ】
2016126802.tif 000009
【図７】
2016126802.tif 000010